(57)【特許請求の範囲】
【請求項１】
現在日時情報の計数機能を備えた記録装置が通信可能に接続される接続手段と、
上記接続手段により接続された上記記録装置による情報信号の記録と、上記記録装置から取得された現在日時情報に基づくタイムスタンプ情報の形成と、上記記録装置により記録される情報信号に対応する情報としての上記タイムスタンプ情報の上記記録装置による記録の制御とを行う記録制御手段と、
情報信号としてオーディオ信号が入力されるオーディオ信号入力手段と、
を備え、
上記記録制御手段は、上記記録装置から取得した現在日時情報についてカウンタによって日時計時のカウントを継続し、上記記録装置への情報信号の記録制御の所定のタイミングで、上記カウンタのカウント値から上記タイムスタンプ情報を形成するとともに、
上記オーディオ信号入力手段から入力されるオーディオ信号を、上記情報信号として、上記接続手段により接続された上記記録装置に記録させるとともに、
上記記録装置側において記録されている情報信号について、上記タイムスタンプ情報に基づいて削除対象の情報信号を選択し、選択した情報信号を上記記録装置において削除させる処理を行う
情報記録処理装置。
【請求項２】
上記オーディオ信号入力手段は、ビデオ信号を入力するビデオ信号入力手段とされ、
上記記録制御手段は、上記ビデオ信号入力手段から入力されるビデオ信号を、上記情報信号として、上記記録装置に記録させる処理を行う請求項１に記載の情報記録処理装置。
【請求項３】
データ圧縮手段をさらに備え、
上記記録制御手段は、上記信号入力手段から入力される情報信号について、上記データ圧縮手段で圧縮処理された圧縮情報信号を、上記記録装置に記録させる処理を行う請求項１に記載の情報記録処理装置。
【請求項４】
上記接続手段は、記録した情報信号を再生する機能を備えた記録装置との間で通信を可能とする構成である請求項１に記載の情報記録処理装置。
【請求項５】
現在日時情報の計数機能を備えた記録装置が通信可能に接続される接続手段と、上記接続手段により接続された上記記録装置による情報信号の記録と、上記記録装置から取得された現在日時情報に基づくタイムスタンプ情報の形成と、上記記録装置により記録される情報信号に対応する情報としての上記タイムスタンプ情報の上記記録装置による記録の制御とを行う記録制御手段とを備えた情報記録処理装置の情報記録処理方法であって、
通信可能に接続された、現在日時情報の計数機能を備えた記録装置に対して、情報信号を記録させるとともに、上記記録装置から取得した現在日時情報に基づいてタイムスタンプ情報を形成し、該タイムスタンプ情報を、記録させた情報信号に対応する情報として上記記録装置に記録させ、
情報信号としてオーディオ信号が入力され、入力されるオーディオ信号を、上記情報信号として、上記接続手段により接続された上記記録装置に記録させるとともに、
上記記録装置側において記録されている情報信号について、上記タイムスタンプ情報に基づいて削除対象の情報信号を選択し、選択した情報信号を上記記録装置において削除させる処理を行い、
上記タイムスタンプ情報を、上記記録装置から取得した現在日時情報についてカウンタによって日時計時のカウントを継続し、上記記録装置への情報信号の記録制御の所定のタイミングで、上記カウンタのカウント値から形成する
情報記録処理方法。
【発明の詳細な説明】
【技術分野】
【０００１】
本発明は、情報記録処理装置、情報記録処理方法に関し、特に通信可能に接続された記録装置に対して、情報信号を記録させる際の処理に関するものである。
【背景技術】
【０００２】
【特許文献１】特開２００６−１４８２８３号公報
【特許文献２】特開２００６−２４２８４１号公報
【０００３】
近年のＡＶ（Audio-Visual）機器、コンピュータ機器などの多様な電子機器においては、リアルタイムクロックと呼ばれる時計機能を備えているものが多く、機器内部で現在日時情報を常時計数し、計数されている現在日時情報を、時刻表示や、情報の記録日時、更新日時などとして利用している。
【発明の開示】
【発明が解決しようとする課題】
【０００４】
ここで、接続した記録装置に対して情報を記録する情報記録処理装置を考える。
記録装置とは、例えば可搬性記録媒体を装填可能な装置であったり、記録媒体を固定的に内蔵する装置である。ここでは、記録媒体として例えばフラッシュメモリを内蔵すると共にＵＳＢ（Universal Serial Bus）方式で各種機器に接続できるＵＳＢメモリと呼ばれる装置などを主に想定する。
情報記録処理装置とは、このような記録装置が接続された状態で、ビデオ信号やオーディオ信号その他の各種の情報信号を、記録装置に転送し、記録させる装置とする。
【０００５】
例えばこのような情報記録処理装置を想定した場合、情報記録処理装置がリアルタイムクロックを備えるようにすれば、記録装置に情報信号を転送して記録させる際に、その情報信号のファイルについての記録時間の情報（現在日時情報）も記録装置に提供し、記録させることができる。つまり記録装置側に記録させるファイルに記録／更新日時の情報を付加できる。
【０００６】
ところがこの情報記録処理装置として、構成の簡易化や製造コストのダウンが要求される場合は、リアルタイムクロック機能を備えることが不都合になることがある。
機器にリアルタイムクロック機能を備える場合、最初（例えば購入直後）の設定として、ユーザが時刻あわせを行う必要がある。このため、時刻あわせのための操作キーや、日時としての数値を表示可能な表示部が必ず必要となってしまう。このことは、操作キーや表示などのユーザインターフェースのための構成を最低限としたい機器の場合は好ましくない。
また、時刻合わせ後は、電源オフ状態でも常に日時計数を行う必要があるため、例えＡＣ電源を用いる機器であるとしても、日時計数用の電池を内蔵しなければならない。
また、ユーザに対して面倒な時刻合わせの操作を強いるという難点もあり、手軽に使用できる簡易な機器を考えた場合、商品として不利となる。
【０００７】
これらのことから本発明では、接続した記録装置に対して情報を記録する情報記録処理装置として、リアルタイムクロック機能を設けなくとも、記録装置に記録させる情報信号に記録日時情報（タイムスタンプ）を付加できるようにする情報記録処理装置を実現することを目的とする。
【課題を解決するための手段】
【０００８】
本発明の情報記録処理装置は、現在日時情報の計数機能を備えた記録装置が通信可能に接続される接続手段と、上記接続手段により接続された上記記録装置による情報信号の記録と、上記記録装置から取得された現在日時情報に基づくタイムスタンプ情報の形成と、上記記録装置により記録される情報信号に対応する情報としての上記タイムスタンプ情報の上記記録装置による記録の制御とを行う記録制御手段と、情報信号としてオーディオ信号が入力されるオーディオ信号入力手段と、を備え、上記記録制御手段は、上記記録装置から取得した現在日時情報についてカウンタによって日時計時のカウントを継続し、上記記録装置への情報信号の記録制御の所定のタイミングで、上記カウンタのカウント値から上記タイムスタンプ情報を形成するとともに、上記オーディオ信号入力手段から入力されるオーディオ信号を、上記情報信号として、上記接続手段により接続された上記記録装置に記録させるとともに、上記記録装置側において記録されている情報信号について、上記タイムスタンプ情報に基づいて削除対象の情報信号を選択し、選択した情報信号を上記記録装置において削除させる処理を行う。
【０００９】
また上記信号入力手段は、ビデオ信号を入力するビデオ入力手段とされ、上記記録制御手段は、上記ビデオ入力手段から入力されるビデオ信号を、上記情報信号として、上記記録装置に記録させる処理を行う。
またデータ圧縮手段をさらに備え、上記記録制御手段は、上記信号入力手段から入力される情報信号について、上記データ圧縮手段で圧縮処理された圧縮情報信号を、上記記録装置に記録させる処理を行う。
また上記接続手段は、記録した情報信号を再生する機能を備えた記録装置との間で通信を可能とする構成である。
【００１０】
本発明の情報記録処理方法は、上記情報記録装置において、通信可能に接続された、現在日時情報の計数機能を備えた記録装置に対して、情報信号を記録させるとともに、上記記録装置から取得した現在日時情報に基づいてタイムスタンプ情報を形成し、該タイムスタンプ情報を、記録させた情報信号に対応する情報として上記記録装置に記録させ、情報信号としてオーディオ信号が入力され、入力されるオーディオ信号を、上記情報信号として、上記接続手段により接続された上記記録装置に記録させるとともに、上記記録装置側において記録されている情報信号について、上記タイムスタンプ情報に基づいて削除対象の情報信号を選択し、選択した情報信号を上記記録装置において削除させる処理を行い、上記タイムスタンプ情報を、上記記録装置から取得した現在日時情報についてカウンタによって日時計時のカウントを継続し、上記記録装置への情報信号の記録制御の所定のタイミングで、上記カウンタのカウント値から形成する。
【００１１】
これらの本発明の情報記録処理装置は、現在日時情報の計数機能を備えた記録装置に対して例えばビデオ／オーディオ情報などを記録させる機器とする。記録させる制御の具体的な動作としては、記録装置における記録媒体への情報信号の記録を直接制御する動作、つまり情報信号を送信して書込制御を行う動作と考えても良いし、或いは記録装置に情報を送信するのみの動作とし、記録媒体への記録は記録装置側で行うものと考えてもよい。
現在日時情報の計数機能（リアルタイムクロック機能）を備えた記録装置としては音楽プレーヤ、ビデオプレーヤなどが考えられる。
このような記録装置に対して、ビデオ／オーディオなどの情報信号を記録させる際には、記録装置から現在日時情報を取得することで、記録日時としてのタイムスタンプ情報を生成することができる。
【発明の効果】
【００１２】
本発明によれば、情報記録処理装置は、記録装置側の現在日時情報の計数機能を有効利用してタイムスタンプ情報を形成し、記録装置側に記録させる情報信号について、記録日時情報も記録させることができる。このため、情報記録処理装置において日時計数機能を備える必要はなく、日時計数や時刻あわせのためのユーザインターフェース構成や常時計数のための電源などを不要とすることができ、構成の著しい簡易化やコストダウン、さらにはユーザの使用性の向上を実現できる。
【発明を実施するための最良の形態】
【００１３】
以下、本発明の実施の形態を説明する。実施の形態では、本発明の情報記録処理装置の例としてＡＶ（Audio-Visual）レコーダ１を挙げる。またＡＶレコーダ１に接続される記録装置の例として携帯プレーヤ５０を挙げる。
説明は次の順序で行う。
［１．ＡＶレコーダの構成］
［２．携帯プレーヤの構成］
［３．記録時の処理例Ｉ］
［４．記録時の処理例II］
［５．削除処理例］
［６．実施の形態の効果及び変形例］
【００１４】
［１．ＡＶレコーダの構成］
図１は、本例のＡＶレコーダ１の使用形態を示している。
ＡＶレコーダ１は、例えば図のような円柱形状とされ、その上面側に携帯プレーヤ５０を装着することのできる装置とされる。
携帯プレーヤ５０は、携帯型のオーディオ／ビデオプレーヤであり、例えば内蔵する不揮発性のメモリ（フラッシュメモリやＨＤＤ（Hard Disk Drive）等）に記録されている音楽コンテンツファイルや映像コンテンツファイルを再生することのできる機器である。
【００１５】
本例のＡＶレコーダ１は、携帯プレーヤ５０に対して充電器として機能するとともに、外部の映像出力機器１００から供給されるビデオ信号ＳＶ及びオーディオ信号ＳＡによる音楽や映像を、コンテンツファイルとして携帯プレーヤ５０側の不揮発性メモリに記録させる動作を行うことができる。
即ちＡＶレコーダ１は、ユーザがパーソナルコンピュータ等を用いずに、携帯プレーヤ５０に音楽コンテンツファイルや映像コンテンツファイルを記録させるための機器である。
【００１６】
この例では、映像出力機器１００からＡＶレコーダ１に供給されるビデオ信号ＳＡ、オーディオ信号ＳＡとは、アナログビデオ信号、Ｌ、Ｒステレオアナログオーディオ信号とする。
即ちここでいう映像出力機器１００とは、アナログビデオ信号、アナログオーディオ信号を出力できる機器を指し、例えば、ビデオ再生機、テレビジョンチューナ、ビデオカメラなどである。
なお、ここでは映像及び音声の信号を出力する機器としているが、例えばオーディオ信号のみを出力するオーディオ再生機、ラジオチューナ、マイクロホン機器などや、或いはビデオ信号のみを出力する機器などであってもよい。
【００１７】
ＡＶレコーダ１は、映像出力機器１００とライン接続された際に、映像出力機器１００から供給されるビデオ信号ＳＡ及びオーディオ信号ＳＡについてデジタルデータファイル化して、携帯プレーヤ５０に映像コンテンツファイル（例えば動画コンテンツ）として記録させることができる。
なおＡＶレコーダ１は、オーディオ信号ＳＡのみが供給される場合は、そのオーディオ信号ＳＡをデジタルデータファイル化して、携帯プレーヤ５０に音楽コンテンツファイルとして記録させることができる。さらにＡＶレコーダ１は、ビデオ信号ＳＡのみが供給される場合は、そのビデオ信号ＳＶをデジタルデータファイル化して、携帯プレーヤ５０に映像コンテンツファイル（例えば静止画コンテンツ）として記録させることもできる。
【００１８】
なお、本例では、ＡＶレコーダ１は、ビデオ信号ＳＡ及びオーディオ信号ＳＡとしてアナログ信号入力に対応するものとして説明するが、もちろんデジタル信号としてのビデオ信号、オーディオ信号の入力に対応して、それらによるコンテンツファイルを携帯プレーヤ５０に記録させるようにすることも可能である。
【００１９】
ＡＶレコーダ１は、その上面に各種キーや発光部が配置される。また円柱側面側に側面パネル１０が設けられる。
図２（ａ）に、ＡＶレコーダ１の上面を示す。また図２（ｂ）に側面パネル１０を示す。
ＡＶレコーダ１の上面中央にはコネクタ９が設けられる。このコネクタ９が携帯プレーヤ５０のコネクタと接続されて、図１のように携帯プレーヤ５０が装着される。
ＡＶレコーダ１の上面には、操作キーとして、記録／停止キー２、削除キー３、オフタイマーキー４が設けられる。
記録／停止キー２は、ユーザが携帯プレーヤ５０に対する記録動作の指示、及び記録動作の停止を指示する操作キーである。
削除キー３は、ユーザが携帯プレーヤ５０に記録されてるコンテンツファイルの削除を指示する操作キーである。
オフタイマーキー４は、自動的に記録動作を終了させるタイマー時間をユーザが設定するための操作キーである。
【００２０】
また発光表示を行うＬＥＤ（Light Emitting Diode）として、パワー表示ＬＥＤ５、ＲＥＣ表示ＬＥＤ６、デリート表示ＬＥＤ７、オフタイマーＬＥＤ８が配置される。
パワー表示ＬＥＤ５は、電源オン状態を発光動作によりユーザに提示する。
ＲＥＣ表示ＬＥＤ６は、記録実行状態を発光動作によりユーザに提示する。
デリート表示ＬＥＤ７は、削除処理の実行状態を発光動作により提示する。
オフタイマーＬＥＤ８は、例えば分に対応する複数のＬＥＤから成り、タイマー設定状態及びタイマーの進行状態（残り時間）を各ＬＥＤの発光動作により、ユーザに提示する。
【００２１】
図２（ｂ）に示すように、側面パネル１０には、パワースイッチ１１，記録モードスイッチ１２、電源端子１３、オーディオ入力端子１４，ビデオ入力端子１５が設けられる。
パワースイッチ１１は２段階のスライドスイッチとされ、ユーザによる電源オン／オフ操作に用いられる。
記録モードスイッチ１２は例えば３段階のスライドスイッチとされ、ユーザによる記録モードの選択操作に用いられる。記録モードとしては例えば記録するデータのビットレートが選択される。ユーザは、記録モードスイッチ１２により、携帯プレーヤ５０に記録させるビデオコンテンツファイルの画質やオーディオコンテンツファイルの音質を選択できる。
【００２２】
電源端子１３は、図示しないＡＣアダプタの接続端子とされる。本例のＡＶレコーダ１は、電池は内蔵せず、商用交流電源に接続されたＡＣアダプタからの直流電源電圧を動作電源とする。
オーディオ入力端子１４は、映像出力機器１００からのオーディオ信号ＳＡが入力される。このオーディオ入力端子１４は、Ｌ／Ｒの２チャンネルのアナログオーディオ入力端子とされる。
ビデオ入力端子１５は、映像出力機器１００からのビデオ信号ＳＶが入力される。例えばコンポジットビデオ信号が入力される。
【００２３】
図３によりＡＶレコーダ１の内部構成を説明する。
操作部２５は、上記した記録／停止キー２、削除キー３、オフタイマーキー４、記録モードスイッチ１２と、それらの操作子の操作検出回路構成を包括的に示している。即ちユーザの操作入力が行われる部位として示している。操作部２５による各種の操作情報はエンコード／制御部２０に供給される。
発光部２６は、パワー表示ＬＥＤ５、ＲＥＣ表示ＬＥＤ６、デリート表示ＬＥＤ７、オフタイマーＬＥＤ８と、これらのＬＥＤの発光駆動回路を包括的に示している。各ＬＥＤは、エンコード／制御部２０の制御によって発光動作を行う。
【００２４】
ビデオ入力部２１は、ビデオ入力端子１５から入力されるビデオ信号ＳＶ、例えばコンポジットビデオ信号についてデジタル化処理等を行い、エンコード／制御部２０に供給する。
オーディオ入力部２２は、オーディオ入力端子１４から入力されるオーディオ信号ＳＡ、例えばＬ、Ｒ各チャンネルのアナログオーディオ信号ＳＡについてデジタル化処理等を行い、エンコード／制御部２０に供給する。
【００２５】
エンコード／制御部２０は、マイクロコンピュータにより形成され、ＡＶレコーダ１の全体の動作を制御するとともに、入力されるビデオデータ、オーディオデータについてのエンコード処理等を行う。
エンコード／制御部２０は、ビデオ入力部２１及びオーディオ入力部２２から供給されるビデオデータ及びオーディオデータについて、携帯プレーヤ５０への記録コンテンツファイルとしての所定のフォーマットへのエンコードを行う。例えばビデオデータについてＨ．２６４／ＭＰＥＧ（Moving Picture Experts Group）４方式の圧縮エンコードを行う。またオーディオデータについては、ＡＡＣ−ＬＣ（Advanced Audio Coding - Low Complexity）方式の圧縮エンコードを行う。
なおエンコード／制御部２０は、圧縮エンコードの際のビットレート（圧縮率）は、上記の記録モードスイッチ１２のスライド位置によるユーザ選択に応じて設定する。
またエンコード／制御部２０は、制御処理として、操作部２５からの操作に応じて、後述する携帯プレーヤ５０への記録処理や削除処理としての動作を行う。
またエンコード／制御部２０は、動作状態に応じて発光部２６の各ＬＥＤの発光動作制御を行う。
【００２６】
ＳＤＲＡＭ（Synchronous Dynamic Random Access Memory）２３は、エンコード／制御部２０の各種演算処理のワーク領域として用いられる。
フラッシュメモリ２４は、エンコード／制御部２０としてのマイクロコンピュータの処理動作のためのプログラムの格納などに用いられる。
【００２７】
ＵＳＢインターフェース２７は、コネクタ９を介して接続される携帯プレーヤ５０との間でＵＳＢ方式の通信を行う。
携帯プレーヤ５０は、単体では携帯用の映像／音楽再生機として機能するが、ＡＶレコーダ１に接続された場合は、ＡＶレコーダ１をホスト機器とするＵＳＢマスストレージ機器として動作することになる。
つまり、ＡＶレコーダ１のエンコード／制御部２０は、携帯プレーヤ５０を、単にＵＳＢインターフェースによるストレージ機器（いわゆるＵＳＢメモリと同等の機器）として認識し、ＵＳＢインターフェース２７を介した通信で、携帯プレーヤ５０内の不揮発性メモリ（後述するフラッシュメモリ５２）にアクセスして記録等の処理を行うことができる。
【００２８】
電源部２８は、ＤＣ／ＤＣコンバータを有し、ＡＣアダプタから電源端子１３に供給される直流電源を用いて各部で必要な各種の動作電源電圧Ｖ１，Ｖ２・・を生成し、各部に供給する。
また携帯プレーヤ５０に対する充電電圧Ｖchargeも生成し、ＵＳＢインターフェース２７及びコネクタ９を介して、接続された携帯プレーヤ５０へ充電電流を供給することができるようにされている。
なお電源部２８は、パワースイッチ１１の操作に応じて、各部への電源電圧供給のオン／オフを行う。
【００２９】
この図３の例では、例えばエンコード／制御部２０の内部カウンタとして、タイムスタンプカウンタ２９が設けられる。後述するが、タイムスタンプカウンタ２９は、記録処理の際に現在日時情報がセットされ、その後、日時カウント動作を行うものとされる。
なお、このタイムスタンプカウンタ２９は設けられなくても良い。後述する記録時の処理例Ｉは、このタイムスタンプカウンタ２９が設けられた構成に対応する処理例であり、一方、記録時の処理例IIは、タイムスタンプカウンタ２９が設けられていない構成に対応する処理例である。
【００３０】
［２．携帯プレーヤの構成］
続いて、ＡＶレコーダ１に接続されてコンテンツファイルの記録等が行われる携帯プレーヤ５０の構成について説明する。図４は携帯プレーヤ５０の内部構成を示している。
【００３１】
ＡＶレコーダ１には、例えばオーディオコンテンツファイル、ビデオコンテンツファイル、各種管理ファイル等を記録する不揮発性メモリとして、フラッシュメモリ５２が設けられる。ＡＶレコーダ１は、このフラッシュメモリ５２に記録されたコンテンツファイルについて再生を行うことができる。なお、フラッシュメモリ５２に代えて、例えばＨＤＤなど、他の不揮発的な記録媒体デバイスが搭載されるようにしても良い。
【００３２】
操作部５９は、ユーザが各種の操作を行うための操作子を有する。ユーザは携帯プレーヤ５０をＡＶレコーダ１から外してプレーヤとして使用する場合は、操作部５９から、コンテンツ再生、停止、コンテンツ選択などの各種の操作を行う。操作部５９による操作情報は制御部５１に供給される。
【００３３】
制御部５１は、マイクロコンピュータにより形成され、携帯プレーヤ５０の全体を制御する。例えば操作部５９からの操作情報に応じて、フラッシュメモリ５２に記録されている映像や音楽のコンテンツファイルの再生制御処理を行う。
メモリ部５７は、制御部５１の処理プログラムを記憶するＲＯＭ又はフラッシュメモリや、制御部１０のワーク領域としてのＲＡＭ等を包括的に示している。
時計部５８は、いわゆるリアルタイムクロックとして、現在日時（年月日時分秒）を常時計数する。制御部５１は、時計部５８の計数値を確認することにより、現在日時情報を把握し、例えば表示部６２に表示させるなどが可能である。
【００３４】
ＡＶ再生処理部６０は、フラッシュメモリ５２に記録されているコンテンツファイルの再生時に、ビデオコンテンツデータやオーディオコンテンツデータのデコード処理を行い、表示出力する映像データ及び音声出力するオーディオデータを生成する。
表示部６２は、例えば液晶パネルや有機ＥＬ（Electroluminescence）パネルなどで構成された表示パネルと、その表示駆動回路から成り、ＡＶ再生処理部６０から供給される映像信号についての表示を行う。
またオーディオ出力部６１は、Ｄ／Ａ変換器、パワーアンプ部などから成り、ＡＶ再生処理部６０でデコードされたオーディオ信号についてアナログ信号化や増幅を行い、接続されたヘッドホンやスピーカから出力させる。
【００３５】
フラッシュメモリ５２に記録されているビデオコンテンツファイルを再生する場合、制御部１０は、ビデオコンテンツファイルをフラッシュメモリ５２から読み出してＡＶ再生処理部６０に転送し、デコード処理を実行させる。そしてデコードされた映像データは表示部６２に供給されて表示出力され、デコードされたオーディオデータはオーディオ出力部６１によってヘッドホン等から出力されることになる。このような動作によりユーザが、ビデオコンテンツやオーディオコンテンツを視聴／聴取できる。
【００３６】
ＵＳＢインターフェース５３は、コネクタ５４により接続された外部機器との間でＵＳＢ方式の通信を行う。このＵＳＢインターフェース５３及びコネクタ５４によって通信可能に接続された外部機器は、携帯プレーヤ５０を、ＵＳＢマスストレージ機器として認識し、フラッシュメモリ５２に対してアクセスすることができる。
本例の場合、図１のように携帯プレーヤ５０がＡＶレコーダ１に装着されると、コネクタ５４がＡＶレコーダ１のコネクタ９と接続される。この状態でＵＳＢインターフェース５３とＡＶレコーダ１のＵＳＢインターフェース２７がＵＳＢ方式で通信可能となり、ＡＶレコーダ１のエンコード／制御部２０は、携帯プレーヤ５０のフラッシュメモリ５２を外部記憶デバイスとしてアクセスできる状態となる。
【００３７】
また、ＵＳＢインターフェース２７、５３を介した通信により、ＡＶレコーダ１のエンコード／制御部２０は、携帯プレーヤ５０の制御部５１に対してコマンドを送信し、所要の情報を求めることができる。本例の場合、特にエンコード／制御部２０は、制御部５１に対して現在日時情報を要求するコマンドを発行できるようにされる。このコマンドを受信した場合、制御部５１は、時計部５８で計数されている現在日時情報を取得し、エンコード／制御部２０に送信する動作を行う。
【００３８】
電源部５５は、内蔵したバッテリー５６を電源とし、ＤＣ／ＤＣコンバータにより各部で必要な各種の動作電源電圧Ｖｗ１，Ｖｗ２・・を生成し、各部に供給する。
バッテリー５６は二次電池とされ、この携帯プレーヤ５０がＡＶレコーダ１に装着されている際は、ＡＶレコーダ１側から充電電流の供給を受け、充電を行うことができる。
【００３９】
この携帯プレーヤ５０のフラッシュメモリ５２に対しては、上述したようにＡＶレコーダ１が映像出力機器１００から供給されるビデオ信号ＳＶ／オーディオ信号ＳＡによるコンテンツファイルを記録させることができる。
この場合にＡＶレコーダ１によってフラッシュメモリ５２に記録されるファイルは例えば図５のようになる。
図５（ａ）においてフォルダＦ１は、携帯プレーヤ５０が例えばパーソナルコンピュータ等から転送されるコンテンツファイルを格納するフォルダとされる。
一方、フォルダＦ２は、ＡＶレコーダ１によって書き込まれるコンテンツファイルを格納するフォルダとされる。例えばフォルダＦ２内にフォルダＦ３が作成され、フォルダＦ３内に、コンテンツファイル「VRC.0001.MP4」「VRC.0001.MP4」・・・が記録されていく。
ＡＶレコーダ１は、コンテンツファイルを書き込む際に、フォルダＦ２、Ｆ３が存在すれば、そのフォルダＦ３内のファイルとしてコンテンツファイルを書き込む。またフォルダＦ２、Ｆ３がフラッシュメモリ５２に存在しない場合は、ＡＶレコーダ１はフォルダＦ２，Ｆ３を作成して、そのフォルダＦ３内に管理されるファイルとしてコンテンツファイルを書き込む。
【００４０】
また、ＡＶレコーダ１は、携帯プレーヤ５０のフラッシュメモリ５２にコンテンツファイルを書き込む際には、記録日時としてタイムスタンプ情報を記録させる。
例えば図５（ｂ）のように、コンテンツファイルがヘッダとＡＶデータ（ビデオ／オーディオの実データ）で構成される場合、ヘッダ内の情報としてタイムスタンプを付加するようにファイル形成を行っても良いし、図５（ｃ）のように別ファイルとしてタイムスタンプが記録されるようにしてもよい。この図５（ｃ）の場合は、個々のコンテンツファイルのタイムスタンプが、管理ファイル内に記録され、管理ファイル内で、各タイムスタンプがそれぞれコンテンツファイルに対応づけられる状態となる。
いずれにしても、フラッシュメモリ５２内において、各コンテンツファイルに対応してタイムスタンプが記録される状態とされればよい。
なお実際には、フラッシュメモリ５２に記録されるファイルを管理するファイルシステムとしては、ＦＡＴ３２などが用いられる。従って例えばＦＡＴ３２によるファイル管理によって、ＡＶレコーダ１から記録したコンテンツファイルについて、記録日時としてタイムスタンプが管理されるようにすればよい。
【００４１】
［３．記録時の処理例Ｉ］
図１のように携帯プレーヤ５０がＡＶレコーダ１に装着されている際に実行される記録時の処理例Ｉについて説明する。
ＡＶレコーダ１を用いて携帯プレーヤ５０にコンテンツファイルを記録しようとする際には、ユーザは、携帯プレーヤ５０をＡＶレコーダ１に装着し、またＡＶレコーダ１のビデオ入力端子１５、オーディオ入力端子１４に映像出力機器１００からのビデオ信号ＳＶ、オーディオ信号ＳＡが供給される状態とする。そして任意のタイミングで記録／停止キー２を押す。するとＡＶレコーダ１は、その時点以降に映像出力機器１００から供給されるビデオ信号ＳＶ、オーディオ信号ＳＡについてエンコードを行い、コンテンツファイルとして携帯プレーヤ５０のフラッシュメモリ５２に記録していく処理を行う。
つまりユーザは、ＡＶレコーダ１を用いることで、映像出力機器１００から出力される映像／音声を、携帯プレーヤ５０に記録させ、後に携帯プレーヤ５０でその映像／音声を再生できるようにすることができる。
【００４２】
ＡＶレコーダ１がこのような記録動作を行うための処理を図６に示している。
図６ではＡＶレコーダ１のエンコード／制御部２０の処理をステップＦ１０１〜Ｆ１０９として示している。
【００４３】
まずステップＦ１０１は、エンコード／制御部２０が、携帯プレーヤ５０が接続されたか否かを判別する処理を示している。
携帯プレーヤ５０が図１のようにＡＶレコーダ１に接続され、ＵＳＢ通信の初期の接続処理（コンフィギュレーション）が行われ、ＵＳＢ接続が確立されたら、エンコード／制御部２０の処理はステップＦ１０１からＦ１０２に進む。
【００４４】
ステップＦ１０２では、エンコード／制御部２０は、携帯プレーヤ５０の制御部５１に対して日時情報要求のコマンドを送信する。
これに対して携帯プレーヤ５０の制御部５１は、ステップＦ２０１の処理として、時計部５８で計数されている現在日時情報を読み出し、これをエンコード／制御部２０に送信する。
エンコード／制御部２０は、ＡＶレコーダ１側から送信されてきた現在日時情報を取得したら、ステップＦ１０３で、その現在日時情報をタイムスタンプカウンタ２９にセットし、そのセットした年月日時分秒の値からカウントをスタートさせる。
従って、以降は、タイムスタンプカウンタ２９が、リアルタイムカウンタとして機能することになる。
【００４５】
ステップＦ１０４では、エンコード／制御部２０は、ユーザによる記録／停止キー２の操作を監視する。また特に記録／記録停止キー２の操作が行われていない場合は、ステップＦ１０９で、携帯プレーヤ５０が取り外されたか否かを監視している。
なお、携帯プレーヤ５０が装着されている期間において、ユーザが削除キー３を操作した場合の処理については図８で後述する。
またオフタイマーキー４を操作した場合については詳しい説明を省略するが、エンコード／制御部２０は、オフタイマーキー４の押圧回数に応じて、記録開始後に何分で記録を終了させるかのタイマー設定を行うことになる。
【００４６】
ステップＦ１０４でユーザが記録／停止キー２を押したことを検知した場合、エンコード／制御部２０は、処理をステップＦ１０４からＦ１０５に進める。
ステップＦ１０５では、携帯プレーヤ５０のフラッシュメモリ５２に対してコンテンツファイルを記録する処理を実行する。
即ちエンコード／制御部２０は、フラッシュメモリ５２側のファイルシステムを確認する。またＲＥＣ表示ＬＥＤ６に所定の発光動作を実行させる。そしてビデオ入力部２１、オーディオ入力部２２から供給されるビデオデータ／オーディオデータのエンコード処理と、エンコードして生成したコンテンツファイルデータを携帯プレーヤ５０のフラッシュメモリ５２に記録するための書込アクセスを開始する。
このステップＦ１０５の記録処理は、ステップＦ１０６で記録終了とされるまで継続される。これにより、映像出力機器１００から供給されるコンポジットビデオ信号、アナログオーディオ信号が、エンコード処理された後、携帯プレーヤ５０側に記録されていくことになる。
【００４７】
エンコード／制御部２０は、ステップＦ１０６では記録終了を判断する。
ユーザが再度、記録／停止キー２を押したことを検知した場合、エンコード／制御部２０は記録終了と判断する。
また、エンコード／制御部２０は、記録／停止キー２が押されなくとも、オフタイマー設定によるタイムアップが確認された場合も、記録終了と判断する。
さらにエンコード／制御部２０は、フラッシュメモリ５２の空き容量が所定量以下となった場合も、記録終了と判断する。
【００４８】
記録終了と判断したら、エンコード／制御部２０はステップＦ１０５の記録処理を終了してステップＦ１０７に進み、その時点のタイムスタンプカウンタ２９の値を取り出して、タイムスタンプデータを生成する。
そしてステップＦ１０８で、フラッシュメモリ５２に対してタイムスタンプ記録処理を行う。例えば所定の管理ファイルにおいて、今回記録したコンテンツファイルに対応するタイムスタンプとして管理されるように記録させる。
そして、ステップＦ１０９，Ｆ１０４の監視処理に戻る。
【００４９】
その後、記録／停止キー２が押された場合は、エンコード／制御部２０は再びステップＦ１０５〜Ｆ１０８の処理を行う。
なお、図６には示していないが、もしユーザが記録／停止キー２を押した際に、映像出力機器１００からの入力信号が無い場合などは、エラー処理を行うことになる。
ステップＦ１０９で、携帯プレーヤ５０が取り外されたことを検知したら、エンコード／制御部２０は図６の処理を終える。その後、再び携帯プレーヤ５０が接続された場合は、ステップＦ１０１からの処理を開始する。
【００５０】
ＡＶレコーダ１では、エンコード／制御部２０が以上の制御処理を行うことで、映像出力機器１００からの映像／音声を、携帯プレーヤ５０のフラッシュメモリ５２に記録させることができる。
このとき、携帯プレーヤ５０側は単にＵＳＢマスストレージとして機能するのみであるため、ＡＶレコーダ側でタイムスタンプを記録させなければならないが、この図６の処理によれば、タイムスタンプカウンタ２９をリアルタイムクロックとして機能させることで、エンコード／制御部２０は現在日時情報を得ることができ、例えば記録終了時点で、その現在日時情報としてのタイムスタンプデータを生成し、携帯プレーヤ５０のフラッシュメモリ５２側に記録させることができる。つまり記録したコンテンツファイルについてタイムスタンプを付加できる。
【００５１】
なお、図６の例では、記録終了時の日時情報をタイムスタンプデータとしたが、記録開始時の日時情報や、記録途中の日時情報をタイムスタンプカウンタ２９から読み出してタイムスタンプデータとし、コンテンツファイルに対応づけて記録させても良い。
タイムスタンプカウンタ２９のカウントは、ステップＦ１０３で開始された後、電源オフとされるまで継続するようにしてもよい。
或いは、ステップＦ１０９で携帯プレーヤ５０が取り外されたことを検知した時点で、タイムスタンプカウンタ２９のカウントを停止させてもよい。
さらには、１つのコンテンツファイルの記録が終了し、ステップＦ１０８の処理を終えた時点でタイムスタンプカウンタ２９のカウントを停止させてもよい。但しその場合は、接続が解消されないまま次にステップＦ１０５の記録処理に進む時点で、ステップＦ１０２，Ｆ１０３に示した処理（タイムスタンプカウンタ２９の時刻セット及びカウントスタート）を行うことが必要となる。
なお、ステップＦ１０２，Ｆ１０３の処理は、常にステップＦ１０５に進む段階で実行する例も考えられる。
【００５２】
［４．記録時の処理例II］
続いて、記録時の処理例IIを説明する。この処理例IIは、ＡＶレコーダ１がタイムスタンプカウンタ２９を備えない構成においても可能となる処理例である。
この場合もユーザの操作は同様であり、ＡＶレコーダ１を用いて携帯プレーヤ５０にコンテンツファイルを記録しようとする際には、ユーザは、携帯プレーヤ５０をＡＶレコーダ１に装着し、またＡＶレコーダ１のビデオ入力端子１５、オーディオ入力端子１４に映像出力機器１００からのビデオ信号ＳＶ、オーディオ信号ＳＡが供給される状態とする。そして任意のタイミングで記録／停止キー２を押す。するとＡＶレコーダ１は、その時点以降に映像出力機器１００から供給されるビデオ信号ＳＶ、オーディオ信号ＳＡについてエンコードを行い、コンテンツファイルとして携帯プレーヤ５０のフラッシュメモリ５２に記録していく処理を行う。
【００５３】
図７では、処理例IIとしてのＡＶレコーダ１のエンコード／制御部２０の処理をステップＦ１５０〜Ｆ１５７として示している。
【００５４】
まずステップＦ１５０でエンコード／制御部２０は、携帯プレーヤ５０が接続されたか否かを判別する。
携帯プレーヤ５０が図１のようにＡＶレコーダ１に接続され、ＵＳＢ通信の初期の接続処理（コンフィギュレーション）が行われ、ＵＳＢ接続が確立されたら、エンコード／制御部２０の処理はステップＦ１５０からＦ１５１に進む。
【００５５】
ステップＦ１５１では、エンコード／制御部２０は、ユーザによる記録／停止キー２の操作を監視する。また特に記録／記録停止キー２の操作が行われてない場合は、ステップＦ１５７で、携帯プレーヤ５０が取り外されたか否かを監視している。
なお、この図７でも、ユーザが削除キー３を操作した場合の処理や、オフタイマーキー４を操作した場合の処理については割愛している。
【００５６】
ステップＦ１５１でユーザが記録／停止キー２を押したことを検知した場合、エンコード／制御部２０は、処理をステップＦ１５１からＦ１５２に進め、携帯プレーヤ５０のフラッシュメモリ５２に対してコンテンツファイルを記録する処理を実行する。
即ちエンコード／制御部２０は、フラッシュメモリ５２側のファイルシステムを確認する。またＲＥＣ表示ＬＥＤ６に所定の発光動作を実行させる。そしてビデオ入力部２１、オーディオ入力部２２から供給されるビデオデータ／オーディオデータのエンコード処理と、エンコードして生成したコンテンツファイルデータを携帯プレーヤ５０のフラッシュメモリ５２に記録するための書込アクセスを開始する。
このステップＦ１５２の記録処理は、ステップＦ１５３で記録終了とされるまで継続される。これにより、映像出力機器１００から供給されるコンポジットビデオ信号、アナログオーディオ信号が、エンコード処理された後、携帯プレーヤ５０側に記録されていくことになる。
【００５７】
エンコード／制御部２０は、ステップＦ１５３では記録終了を判断する。
ユーザが再度、記録／停止キー２を押したことを検知した場合、エンコード／制御部２０は記録終了と判断する。
また、エンコード／制御部２０は、記録／停止キー２が押されなくとも、オフタイマー設定によるタイムアップが確認された場合も、記録終了と判断する。
さらにエンコード／制御部２０は、フラッシュメモリ５２の空き容量が所定量以下となった場合も、記録終了と判断する。
【００５８】
記録終了と判断したら、エンコード／制御部２０はステップＦ１５２の記録処理を終了し、ステップＦ１５４に進む。ステップＦ１５４では、エンコード／制御部２０は、携帯プレーヤ５０の制御部５１に対して日時情報要求のコマンドを送信する。
これに対して携帯プレーヤ５０の制御部５１は、ステップＦ２０１の処理として、時計部５８で計数されている現在日時情報を読み出し、これをエンコード／制御部２０に送信する。
エンコード／制御部２０は、ＡＶレコーダ１側から送信されてきた現在日時情報を取得したら、ステップＦ１５５で、その現在日時情報からタイムスタンプデータを生成する。
そしてステップＦ１５６で、フラッシュメモリ５２に対してタイムスタンプ記録処理を行う。例えば所定の管理ファイルにおいて、今回記録したコンテンツファイルに対応するタイムスタンプとして管理されるように記録させる。
そして、ステップＦ１５７，Ｆ１５１の監視処理に戻る。
【００５９】
その後、記録／停止キー２が押された場合は、エンコード／制御部２０は再びステップＦ１５２〜Ｆ１５６の処理を行う。
なお、図７には示していないが、もしユーザが記録／停止キー２を押した際に、映像出力機器１００からの入力信号が無い場合などは、エラー処理を行うことになる。
ステップＦ１５７で、携帯プレーヤ５０が取り外されたことを検知したら、エンコード／制御部２０は図７の処理を終える。その後、再び携帯プレーヤ５０が接続された場合は、ステップＦ１５１からの処理を開始する。
【００６０】
ＡＶレコーダ１では、エンコード／制御部２０が以上の制御処理を行うことで、映像出力機器１００からの映像／音声を、携帯プレーヤ５０のフラッシュメモリ５２に記録させることができる。
この場合も、携帯プレーヤ５０側は単にＵＳＢマスストレージとして機能するのみであるため、ＡＶレコーダ側でタイムスタンプを記録させなければならないが、この図７の処理によれば、携帯プレーヤ５０側で時計部５８で計数している現在日時情報を取得してタイムスタンプデータを生成し、携帯プレーヤ５０のフラッシュメモリ５２側に記録させることができる。つまり記録したコンテンツファイルについてタイムスタンプを付加できる。
【００６１】
なお、図７の処理の場合、記録終了時の現在日時情報をタイムスタンプデータとしたが、記録開始時や、記録途中に携帯プレーヤ５０側から現在日時情報を取得して、その日時を示すタイムスタンプデータを生成し、その際もしくは記録終了時に、タイムスタンプデータをフラッシュメモリ５２に記録させるようにしてもよい。
【００６２】
［５．削除処理例］
上記の記録時の処理例Ｉ又はIIにより、ＡＶレコーダ１は、携帯プレーヤ５０のフラッシュメモリ５２に映像出力機器１００から出力される映像／音声をコンテンツファイルとして記録し、かつタイムスタンプデータを付加することができる。
このように携帯プレーヤ５０に記録したコンテンツファイルについては、本例のＡＶレコーダ１が削除処理を行うこともできる。
【００６３】
実際のユーザの使用形態としては、例えば図１の映像出力機器１００をビデオ録画再生機とした場合、録画した放送番組などを、ＡＶレコーダ１を用いて携帯プレーヤ５０に記録させ、携帯プレーヤ５０を用いて外出先などで視聴するということが考えられる。
例えばこのような使用形態の場合、携帯プレーヤ５０側で、見終わったコンテンツファイルが増えてフラッシュメモリ５２の容量が後の使用にとって足りなくなることもある。このため、例えば古いコンテンツファイルは随時削除できるようにすることが好適である。
【００６４】
そこで本例のＡＶレコーダ１は、エンコード／制御部２０が図８の処理を行うことで、携帯プレーヤ５０に記録したコンテンツファイルを削除できるようにする。
なお、図８は携帯プレーヤ５０が接続されている間の処理として示している。例えば図６のステップＦ１０４，Ｆ１０９での監視ループ処理（或いは図７のステップＦ１５１，Ｆ１５７の監視ループ処理）の間に、図８のステップＦ１７０のデリート実行の判断が行われるようにすればよい。
【００６５】
ステップＦ１７０では、エンコード／制御部２０は、デリート実行の判断を行う。ユーザが削除キー３を押したことを検知した場合、エンコード／制御部２０はデリート実行と判断してステップＦ１７１に進む。
ステップＦ１７１では、エンコード／制御部２０は、携帯プレーヤ５０のフラッシュメモリ５２にアクセスして、ファイル管理情報や、各コンテンツファイルに対応するタイムスタンプデータを読み出す。
【００６６】
ステップＦ１７２では、削除対象とできるコンテンツファイルの有無を各種条件により判断する。
本例では、ユーザが削除するコンテンツファイルを選択するものではなく、タイムスタンプデータにより最も古いコンテンツファイルを選択して削除するという処理を行う。
このような削除処理を行う際には、例えば削除条件の１つとしては、ＡＶレコーダ１が削除できるコンテンツファイルは、ＡＶレコーダ１によって記録させたコンテンツファイル（以下「自己記録ファイル」という）に限るということが考えられる。例えば他の機器（パーソナルコンピュータ等）から携帯プレーヤ５０に転送したことでフラッシュメモリ５２に記録されているコンテンツファイルなどは削除できないこととする。
また例えば、自己記録ファイルであっても、記録後、ある程度の期間（最低保存期間）を経過していないものは、削除対象としないこととしてもよい。さらには、現在のフラッシュメモリ５２の残り容量に応じて、最低保存期間を可変しても良い。例えば残り容量が少ないほど最低保存期間を短くするなどである。もちろんこの最低保存期間の条件を全く設けなくてもよい。
ステップＦ１７２では、例えばこのような条件で、削除対象とできるコンテンツファイルが存在するか否かを判断し、存在しなければ処理を終了する。
【００６７】
例えば自己記録ファイルであることのみを削除条件とする場合、携帯プレーヤ５０のフラッシュメモリ５２に自己記録ファイルが存在すれば、エンコード／制御部２０は処理をステップＦ１７３に進め、自己記録ファイルのうちでタイムスタンプデータによって示される記録日時が最も古いコンテンツファイルを選択する。
そしてステップＦ１７４で、エンコード／制御部２０は、フラッシュメモリ５２にアクセスして、選択した最古のコンテンツファイルが削除されるようにファイルシステムを更新する。なお、このときエンコード／制御部２０は、デリート表示ＬＥＤ７に所定の発光動作を実行させる。
以上の処理によって、コンテンツファイルの削除処理が実行される。
【００６８】
なお、ここではユーザの削除キー３の操作に応じて削除処理が行われると説明したが、ユーザの操作によらずに、自動的に削除を行う処理も考えられる。
例えば図６のステップＦ１０５若しくは図７のステップＦ１５２での記録処理の途中で、フラッシュメモリ５２の容量が足りなくなることがあり得る。
そこで、記録動作中に容量不足が確認された場合、図８のステップＦ１７１〜Ｆ１７４の処理を実行し、例えば最古の自己記録ファイルを削除して、現在の記録のための容量を確保するという処理も考えられる。
【００６９】
［６．実施の形態の効果及び変形例］
以上の実施の形態によれば、ＡＶレコーダ１は、携帯プレーヤ５０側の時計部５８による現在日時情報の計数機能を有効利用してタイムスタンプデータを形成し、携帯プレーヤ５０側のフラッシュメモリ５２に記録させるコンテンツファイルについて、その記録日時としてのタイムスタンプデータを対応させて記録させることができる。
このためＡＶレコーダ１は、常時日時計数を行う日時計数機能（リアルタイムクロック）を備える必要はない。従って、日時計数や時刻あわせのためのユーザインターフェース構成、例えば時刻設定のための操作キーや表示パネルなどを設ける必要はない。さらに電源オフ時でも常時日時計数を行うための電源として内蔵電池も不要である。これらリアルタイムクロック、リアルタイムクロックの時刻設定のためのユーザインターフェース、電池等を不要とできることで、構成の著しい簡易化やコストダウンを実現できる。もちろん時刻合わせなどの面倒な操作をユーザに強いることもなく、使用性も向上され、携帯プレーヤ５０に対して映像／音声を記録できる機器として、ユーザが手軽に使用できることになる。
【００７０】
また、タイムスタンプデータを付加した記録を実現することで、最も古い自己記録ファイルを削除するなどの削除処理も実行可能となる。
ユーザにとっては、削除キー３を押すだけで、古いファイルが削除されて容量確保できること、もしくは容量不足時に自動的に古いファイルが削除されることで、削除するファイルの選択などは不要で、簡易な使用法に適している。
また、タイムスタンプデータが付加記録されることで、携帯プレーヤ５０側では、コンテンツファイルの一覧表示などの際や、再生時などに、その記録日時を表示できる。
【００７１】
以上、実施の形態を説明してきたが、本発明の情報記録処理装置の構成及び処理例としては、上記のＡＶレコーダ１の構成及び処理例以外に各種考えられる。
情報記録処理装置の形態、対応機器、対応入力信号、エンコード方式などは多様に考えられる。またＡＶレコーダ１（情報記録処理装置）は携帯プレーヤ５０（記録装置）とＵＳＢ接続されることとしたが、他の通信方式による接続であっても良い。また、例えばブルートゥース、赤外線通信などによる無線通信によって接続されるものとしてもよい。
【００７２】
タイムスタンプデータは、例えば記録終了時などの実際の日時情報を用いたが、必ずしも正確な日時情報でなくてもよい場合もある。
例えば大まかに記録日時がわかればよい場合もある。
また例えばタイムスタンプデータを上記図８のような削除処理の際に、最古のファイルの判定のために使用することに限るのであれば、タイムスタンプデータが正確な記録日時の情報である必要はない。つまり、各自己記録ファイルの記録の前後がわかって、最も古い自己記録ファイルを判断できる情報とすればよい。
【００７３】
このような事情の場合は、例えば携帯プレーヤ５０の接続時に現在日時情報を取得したら、エンコード／制御部２０はその現在日時情報を内部レジスタに記憶させておき、ファイル記録時には、その記憶させた日時情報に１秒を加算してタイムスタンプデータとしてもよい。その場合、内部レジスタの値も１秒を加算した値に更新すれば、次に記録するコンテンツファイルのタイムスタンプデータも、レジスタ値に１秒加算を行って生成できる。つまり、接続時に携帯プレーヤ５０から現在日時情報を取得する場合であっても、タイムスタンプカウンタ２９のカウント動作を不要とする例も考えられる。
さらには、フラッシュメモリ５２に記録されている自己記録ファイルの中で、最新のファイルのタイムスタンプデータに１秒加算した値などとしてタイムスタンプデータを生成し、それを現在記録しているコンテンツファイルに対応させて記録してもよい。
【００７４】
実施の形態では、ＡＶレコーダ１は、フラッシュメモリ５２を内蔵した携帯プレーヤ５０をＵＳＢマスストレージ機器として扱って、フラッシュメモリ５２に書込を行うものとしたが、ＡＶレコーダ１は、コンテンツファイルの記録処理については、コンテンツファイルとしてのデータを携帯プレーヤ５０側に送信するのみとしてもよい。即ち携帯プレーヤ５０側でフラッシュメモリ５２に対する記録処理を行うものとしてもよい。
その意味では、本発明請求項でいう記録装置は、携帯プレーヤ５０（ＵＳＢマスストレージ機器）のみではなく、内蔵又は可搬性の記録媒体に対してデータ記録を行う各種の記録装置として適用でき、各種の記録装置に対応できる機器として本発明の情報記録処理装置を実現できる。
【図面の簡単な説明】
【００７５】
【図１】本発明の実施の形態の各機器の接続状態の説明図である。
【図２】実施の形態のＡＶレコーダの説明図である。
【図３】実施の形態のＡＶレコーダのブロック図である。
【図４】実施の形態の携帯プレーヤのブロック図である。
【図５】実施の形態のファイル記録形態の説明図である。
【図６】実施の形態の記録時の処理例Ｉのフローチャートである。
【図７】実施の形態の記録時の処理例IIのフローチャートである。
【図８】実施の形態の削除処理のフローチャートである。
【符号の説明】
【００７６】
１  ＡＶレコーダ、２  記録／停止キー、３  削除キー、４  オフタイマーキー、９  コネクタ、１０  側面パネル、１１  パワースイッチ、１２  記録モードスイッチ１２、１４  オーディオ入力端子、１５  ビデオ入力端子、２０  エンコード／制御部、２１  ビデオ入力部、２２  オーディオ入力部、２７  ＵＳＢインターフェース、２８  電源部、２９  タイムスタンプカウンタ、５０  携帯プレーヤ、５２  フラッシュメモリ、５３  ＵＳＢインターフェース、５８  時計部、１００  映像出力機器
【図１】
0004992726.tif 000002
【図２】
0004992726.tif 000003
【図３】
0004992726.tif 000004
【図４】
0004992726.tif 000005
【図５】
0004992726.tif 000006
【図６】
0004992726.tif 000007
【図７】
0004992726.tif 000008
【図８】
0004992726.tif 000009